(57)【要約】【課題】容器のより容易な開閉を可能にするグリップ可能な表面を有する改善されたクロージャの提供。【解決手段】上部およびスカートを有するキャップと、該スカートの外表面に付着される、該スカートよりもやわらかい材料の外層とを含むクロージャ。【選択図】図２
2015193422.tif 000002
【特許請求の範囲】
【請求項１】
上部およびスカートを有するキャップ；および
該スカートよりもやわらかく、該スカートの外表面に分子間的に結合されることにより付着される材料の外層
を含み、
該外層が少なくとも１．０１６ｍｍ（４０ミル）の厚さを有し、
該上部の表面が該材料の外層を含んでいないこと
を特徴とするクロージャキャップ。
【請求項２】
前記外層が１．０１６〜１．５２４ｍｍ（４０〜６０ミル）の厚さを有することを特徴とする請求項１に記載のクロージャキャップ。
【請求項３】
前記外層がゴム化されたエラストマーを含むことを特徴とする請求項１または２に記載のクロージャキャップ。
【請求項４】
２ショット射出成形プロセスの第１段階を使用してスカートおよび上部を有するキャップを形成する工程；
２ショット射出成形プロセスの第２段階を使用して該スカート上に材料の外層を形成して、該外層を該スカートに分子間的に結合させる工程
を含み、
該材料の外層が該スカートよりもやわらかく、少なくとも１．０１６ｍｍ（４０ミル）の厚さを有し、
該上部の表面が該材料の外層を含んでいないこと
ことを特徴とするクロージャキャップを製造する方法。
【請求項５】
１．０１６〜１．５２４ｍｍ（４０〜６０ミル）の厚さを有する外層を形成する工程を含むことを特徴とする請求項４に記載の方法。
【請求項６】
スカートの表面全体を実質的に被覆するように外層を形成する工程を含むことを特徴とする、請求項４または５に記載の方法。
【請求項７】
ゴム化されたエラストマーを有する外層を形成する工程を含むことを特徴とする請求項４から６のいずれか１項に記載の方法。
【発明の詳細な説明】
【技術分野】
【０００１】
本発明は、蓋、および具体的には、改善されたグリップ可能な表面を有する蓋に関する。
【背景技術】
【０００２】
広口瓶のような多くの容器は、上部開口部と、該開口部を被覆または閉覆するための蓋または他のクロージャとを有する。一つの典型的な配置は、ねじ山がついた広口瓶の首の開口部を含み、それに対して、対応してねじ山がつけられた蓋がねじってはめられ、および外される。グリップ可能な表面を提供するために、いくつかの蓋は、一般に蓋のスカートとして知られるそれらの軸方向に延伸する部分に沿って、リブまたは溝を含み、高いグリップ可能性を提供し、および従って、より容易に、容器の首に蓋をねじってはめ、および容器の首から蓋をねじって外すことを可能にする。
【０００３】
特許文献１は、硬い部分が、スカートを含むクロージャの第１の部分を形成し、および第２の部分が第１の硬い部分上に成形されて、クロージャの外側周囲部分を画定する、広口瓶のクロージャを開示する（特許文献１参照）。第２の部分は、得られるクロージャがスカートの外表面および／またはクロージャの第１の部分の上面と同一面をなす第２の部分を有するように、スカートのインレーまたは空隙内に形成される。
【０００４】
特許文献２は、インモールドラベルがクロージャのスカート上に薄いグリップ表面を形成する、やわらかい感触のグリップ表面を有するクロージャを開示する（特許文献２参照）。
【先行技術文献】
【特許文献】
【０００５】
【特許文献１】米国特許第６，４８１，５８９号明細書
【特許文献２】米国特許出願公開第２００５／０１４５５９３号明細書
【発明の概要】
【発明が解決しようとする課題】
【０００６】
当技術分野において、容器をより容易に開閉することを可能にする、グリップ可能な表面を有する、改善されたクロージャの必要性が存在する。
【課題を解決するための手段】
【０００７】
本発明は、蓋のようなクロージャのスカート部分にやわらかい外層が形成されてグリップ可能な表面を提供する、グリップ可能なクロージャに関する。有利には、外層は、スカートに対する強い結合を形成し、それは、外層およびスカート由来のそれぞれの材料が互いに混合される分子間結合を含んでもよい。さらに、有利には、外層は、向上されたグリップ可能な表面を提供するのに十分な厚さを有し、握るのに快適でありおよびクロージャが取り付けられている容器を容易に開けることを可能にする。
【図面の簡単な説明】
【０００８】
【図１】本発明に従うクロージャの斜視図である。
【図２】図１の線２−２に沿って取ったクロージャの断面図である。
【図３】図２のボックス１５におけるクロージャの部分拡大図である。
【図４】本発明に従うクロージャおよび容器の正面図である。
【発明を実施するための形態】
【０００９】
本発明は、その一つの形態では、上部およびスカートを有する硬いキャップ、および該スカートの外表面に付着される該スカートよりもやわらかい材料の外層を有するクロージャに関する。外層は、少なくとも０．５０８ｍｍ（２０ミル）の厚さを有する。代替的なさらなる実施形態では、外層は１．０１６〜１．５２４ｍｍ（４０〜６０ミル）の厚さを有し、および好ましくは、外層はスカートの表面全体を実質的に被覆する。外層は、ゴム化されたエラストマーを含んでもよい。
【００１０】
本発明の別の態様は、上部およびスカートを有するキャップを有し、および該スカートよりもやわらかい材料の外層が該スカートの表面全体に付着されてこれを実質的に被覆するクロージャに関する。
【００１１】
本発明の別の態様は、上部およびスカート、および該スカートの外表面に分子間的に結合される、該スカートよりもやわらかい材料の外層を有するキャップに関する。
【００１２】
本発明の別の態様は、クロージャを製造する方法に関する。該方法は、２ショット射出成形プロセスの第１段階を使用して、上部およびスカートを有するキャップを形成する工程を含む。該キャップよりもやわらかい材料の外層は、２ショット射出成形プロセスの第２段階を使用して該スカート上に形成され、それによって該外層は該スカートに対して分子間的に結合される。
【００１３】
本発明のこれらおよび他の対象は、発明を実施するための最良の形態と一緒に、以下に続く図面の簡単な説明から明らかになるであろう。以下に続く本発明の発明を実施するための最良の形態は、添付図面と一緒に読まれるべきである。
【００１４】
図面を参照して、いくつかの図を通して、同等の要素は同等の番号で表される。
【００１５】
クロージャ１０は、上部１１およびスカート１２を有するキャップを有する。有利には、キャップは、２ショット成形プロセスの第１段階において射出成形を使用して、プラスチック材料またはポリマーで形成される。キャップをポリエチレンまたはポリプロピレンで構成することができる。あるいはまた、当業者に知られる任意の他の適当な材料で形成することができる。
【００１６】
クロージャ１０は、外層１３を含み、これはスカート１２に付着され、好ましくはスカート１２の表面全体を実質的に被覆する。外層１３はスカート１２と強い結合を形成し、それゆえ、容器１４を開閉するためにねじられるとき、外層１３は、スカート１２に対して、滑らずまたは動かない（図４）。
【００１７】
クロージャ１０を製造する１つの有利な方法では、外層１３は、２ショット成形プロセスの第２段階の間に形成される。好ましくは、得られる外層１３はスカート１２に分子間的に結合され、図２のボックス１５の拡大である図３に示されるように、それらの間に形成される界面１６は、互いに混合されたスカート１２および外層１３由来の材料を含むようになる。スカート１２と外層１３との間に分子間結合を有することは有利ではあるが、しかしながら、スカートと外層との間に十分に強い結合を実現するために分子間結合を有することは必須ではない。
【００１８】
外層１３は少なくとも０．５０８ｍｍ（２０ミル）の厚さであり、好ましくは１．０１６〜１．５２４ｍｍ（４０〜６０ミル）である。これらの厚さは、クロージャ１０のスカート１２に沿った快適なグリップ可能な表面を提供して、容器１４を容易にグリップしおよび開けることを可能にする。ゴム化されたエラストマーを含む任意の適当なやわらかい材料で外層１３を形成することができる。
【００１９】
クロージャ１０を形成する好ましい方法は２ショット射出成形であるが、しかしながら、当業者に知られる代替的な任意の他の製造プロセスを使用して、十分に強い、結合または接着された、よりやわらかい外層を有するスカート１２を形成することができる。
【００２０】
１つの用途または使途において、クロージャ１０はスカート１２の内表面にねじ山１７を有し、図４の矢印１８によって示されるような反時計回りの方向にクロージャ１０をねじるかまたは回転させることによって、相補的なねじ山（図示せず）を有する容器１４からクロージャ１０を取り除くことを可能にする。
【００２１】
本発明のクロージャが従前のクロージャに見出だされない利点および特徴を提供することは、当業者にとって今や明らかであろう。例えば、本発明のクロージャは、やわらかい材料の十分に厚い外層を含み、それが快適およびグリップ可能な表面を提供する。本発明のクロージャの付加的な有利な特徴は、例えば分子間的に結合されることによってスカートに対して十分に結合される外層であり、それにより、容器を開閉するときに、スカートに対して外層が滑らないことを保証する。
【００２２】
本発明を、その好ましい実施形態に関して上述したが、しかしながら、それらの好ましい実地形態に、本発明の範囲および精神を逸脱することなく変形および改良をもたらすことができることは、当業者にとって理解されよう。
本発明は以下の実施の態様を含むものである。
１．上部およびスカートを有するキャップ；および
該スカートよりもやわらかくおよび該スカートの外表面に付着される材料の外層
を含み、該外層が少なくとも０．５０８ｍｍ（２０ミル）の厚さを有することを特徴とするクロージャ。
２．前記外層が１．０１６〜１．５２４ｍｍ（４０〜６０ミル）の厚さを有することを特徴とする前記１に記載のクロージャ。
３．前記外層がスカートの表面全体を実質的に被覆することを特徴とする前記１に記載のクロージャ。
４．前記外層がスカートに分子間的に結合されていることを特徴とする前記１に記載のクロージャ。
５．前記外層がゴム化されたエラストマーを含むことを特徴とする前記１に記載のクロージャ。
６．上部およびスカートを有するキャップ；
スカートよりもやわらかい材料の外層
を含み、前記外層がスカートの表面全体に付着されおよび実質的にそれを被覆することを特徴とするクロージャ。
７．前記外層がスカートに分子的に結合されていることを特徴とする前記６に記載のクロージャ。
８．上部およびスカートを有するキャップ；
スカートの外表面に分子間的に結合されているスカートよりもやわらかい材料の外層
を含むクロージャ。
９．２ショット射出成形プロセスの第１段階を使用してスカートを有するキャップを形成する工程；
２ショット射出成形プロセスの第２段階を使用して該スカート上に該スカートよりもやわらかい材料の外層を形成して、該外層を該スカートに分子間的に結合させる工程
を含むことを特徴とするクロージャを製造する方法。
１０．少なくとも０．５０８ｍｍ（２０ミル）の厚さを有する外層を形成する工程を含むことを特徴とする前記９に記載の方法。
１１．１．０１６〜１．５２４ｍｍ（４０〜６０ミル）の厚さを有する外層を形成する工程を含むことを特徴とする前記９に記載の方法。
１２．スカートの表面全体を実質的に被覆するように外層を形成する工程を含むことを特徴とする、前記９に記載の方法。
１３．ゴム化されたエラストマーを有する外層を形成する工程を含むことを特徴とする前記９に記載の方法。
【符号の説明】
【００２３】
１０  クロージャ
１１  上部
１２  スカート
１３  外層
１４  容器
１６  接触面
１７  ねじ山
【図１】
2015193422.tif 000003
【図２】
2015193422.tif 000004
【図３】
2015193422.tif 000005
【図４】
2015193422.tif 000006